(57)【要約】【課題】  シートの導電性が高くなっている状態で、良好な転写を行えるようにし、且つ背景部に薄い帯状画像が形成されることを防止すること。【解決手段】  帯電部材ＣＲと、シート転写部材ＴＲに印加する転写電流を定電流制御する転写制御手段Ｃ5と、シート転写領域通過時に帯電したシートＳを除電する除電部材ＤＴＳと、シートＳの導電性を検出するシート導電性検出器ＳNと、前記シート導電性検出器ＳNの検出信号に応じてシートＳが導電性を有する状態であるか否かを判別するシート導電性判別手段Ｃ１cと、前記シートＳが導電性を有する状態である場合に前記除電部材ＤＴＳをオフまたは接地またはフローティング状態にする除電制御手段Ｃ6および同時に感光体ＰＲの帯電電位が高くなるように制御する帯電電位制御手段Ｃ4とを備えた画像形成装置。【選択図】  図１
2005266612.tif 000002
【特許請求の範囲】
【請求項１】
次の要件（Ａ01）〜（Ａ010）を備えたことを特徴とする画像形成装置、
（Ａ01）回転移動する表面が帯電領域、潜像形成位置、現像領域、転写領域を順次通過する感光体、前記帯電領域において前記感光体表面を一様に帯電させる帯電部材、前記潜像形成位置において前記帯電された感光体表面に静電潜像を形成する潜像形成装置、および、前記現像領域において前記静電潜像をトナー像に現像する現像装置、を備えたトナー像形成装置、
（Ａ02）前記帯電部材と、前記帯電部材に帯電電圧を印加する帯電用電源回路と、前記帯電用電源回路の動作を制御して前記帯電部材により帯電される感光体表面の帯電電位を制御する帯電電位制御手段とを有する帯電制御装置、
（Ａ03）前記トナー像形成装置により形成されたトナー像を担持して前記トナー像をシートに転写するシート転写領域に搬送するシート転写トナー像担持部材、
（Ａ04）前記シート転写領域を通過するシート転写トナー像担持部材表面のトナー像を記録シートに転写するシート転写部材と、前記シート転写部材に転写電流を印加する転写用電源回路と、前記転写用電源回路を定電流制御する転写制御手段とを有するシート転写制御装置、
（Ａ05）前記記録シートを、前記トナー像が転写されるシート転写位置および定着領域に順次搬送するシート搬送装置、
（Ａ06）前記シート転写領域のシート搬送方向下流側に隣接して配置され且つシート転写領域通過時に帯電したシートを除電する除電部材と、除電部材に除電電圧を印加する除電用電源回路と、前記除電用電源回路の動作を制御して除電部材の電位を制御する除電制御手段とを備えた除電制御装置、
（Ａ07）前記定着領域において前記記録シート上のトナー像を定着する定着装置、
（Ａ08）前記シート転写領域を通過するシートの導電性を検出するシート導電性検出器と、前記シート導電性検出器の検出信号に応じてシートが導電性を有する状態であるか否かを判別するシート導電性判別手段とを有するシート導電性検出装置、
（Ａ09）前記シートが導電性を有する状態である場合に、前記感光体の帯電電位が高くなるように帯電部材駆動回路の動作を制御する前記帯電電位制御手段、
（Ａ010）前記シートが導電性を有する状態である場合に、前記除電部材の除電電圧が低下するように前記除電用回路の動作を制御する前記除電制御手段。
【請求項２】
次の構成要件（Ａ01）〜（Ａ09），（Ａ011）を備えたことを特徴とする画像形成装置、
（Ａ01）回転移動する表面が帯電領域、潜像形成位置、現像領域、転写領域を順次通過する感光体、前記帯電領域において前記感光体表面を一様に帯電させる帯電部材、前記潜像形成位置において前記帯電された感光体表面に静電潜像を形成する潜像形成装置、および、前記現像領域において前記静電潜像をトナー像に現像する現像装置、を備えたトナー像形成装置、
（Ａ02）前記帯電部材と、前記帯電部材に帯電電圧を印加する帯電用電源回路と、前記帯電用電源回路の動作を制御して前記帯電部材により帯電される感光体表面の帯電電位を制御する帯電電位制御手段とを有する帯電制御装置、
（Ａ03）前記トナー像形成装置により形成されたトナー像を担持して前記トナー像をシートに転写するシート転写領域に搬送するシート転写トナー像担持部材、
（Ａ04）前記シート転写領域を通過するシート転写トナー像担持部材表面のトナー像を記録シートに転写するシート転写部材と、前記シート転写部材に転写電流を印加する転写用電源回路と、前記転写用電源回路を定電流制御する転写制御手段とを有するシート転写制御装置、
（Ａ05）前記記録シートを、前記トナー像が転写されるシート転写位置および定着領域に順次搬送するシート搬送装置、
（Ａ06）前記シート転写領域のシート搬送方向下流側に隣接して配置され且つシート転写領域通過時に帯電したシートを除電する除電部材と、除電部材に除電電圧を印加する除電用電源回路と、前記除電用電源回路の動作を制御して除電部材の電位を制御する除電制御手段とを備えた除電制御装置、
（Ａ07）前記定着領域において前記記録シート上のトナー像を定着する定着装置、
（Ａ08）前記シート転写領域を通過するシートの導電性を検出するシート導電性検出器と、前記シート導電性検出器の検出信号に応じてシートが導電性を有する状態であるか否かを判別するシート導電性判別手段とを有するシート導電性検出装置、
（Ａ09）前記シートが導電性を有する状態である場合に、前記感光体の帯電電位が高くなるように帯電部材駆動回路の動作を制御する前記帯電電位制御手段、
（Ａ011）前記シートが導電性を有する状態である場合に、前記除電部材を接地させる前記除電制御手段。
【請求項３】
次の構成要件（Ａ01）〜（Ａ09），（Ａ012）を備えたことを特徴とする画像形成装置、
（Ａ01）回転移動する表面が帯電領域、潜像形成位置、現像領域、転写領域を順次通過する感光体、前記帯電領域において前記感光体表面を一様に帯電させる帯電部材、前記潜像形成位置において前記帯電された感光体表面に静電潜像を形成する潜像形成装置、および、前記現像領域において前記静電潜像をトナー像に現像する現像装置、を備えたトナー像形成装置、
（Ａ02）前記帯電部材と、前記帯電部材に帯電電圧を印加する帯電用電源回路と、前記帯電用電源回路の動作を制御して前記帯電部材により帯電される感光体表面の帯電電位を制御する帯電電位制御手段とを有する帯電制御装置、
（Ａ03）前記トナー像形成装置により形成されたトナー像を担持して前記トナー像をシートに転写するシート転写領域に搬送するシート転写トナー像担持部材、
（Ａ04）前記シート転写領域を通過するシート転写トナー像担持部材表面のトナー像を記録シートに転写するシート転写部材と、前記シート転写部材に転写電流を印加する転写用電源回路と、前記転写用電源回路を定電流制御する転写制御手段とを有するシート転写制御装置、
（Ａ05）前記記録シートを、前記トナー像が転写されるシート転写位置および定着領域に順次搬送するシート搬送装置、
（Ａ06）前記シート転写領域のシート搬送方向下流側に隣接して配置され且つシート転写領域通過時に帯電したシートを除電する除電部材と、除電部材に除電電圧を印加する除電用電源回路と、前記除電用電源回路の動作を制御して除電部材の電位を制御する除電制御手段とを備えた除電制御装置、
（Ａ07）前記定着領域において前記記録シート上のトナー像を定着する定着装置、
（Ａ08）前記シート転写領域を通過するシートの導電性を検出するシート導電性検出器と、前記シート導電性検出器の検出信号に応じてシートが導電性を有する状態であるか否かを判別するシート導電性判別手段とを有するシート導電性検出装置、
（Ａ09）前記シートが導電性を有する状態である場合に、前記感光体の帯電電位が高くなるように帯電部材駆動回路の動作を制御する前記帯電電位制御手段、
（Ａ012）前記シートが導電性を有する状態である場合に、前記除電部材をフローティング状態にする前記除電制御手段。
【発明の詳細な説明】
【技術分野】
【０００１】
本発明は、回転移動するトナー像担持体表面に形成されたトナー像を転写材に転写して画像形成を行う電子写真複写機、プリンタ等の画像形成装置に関し、特に、温度、湿度等の環境パラメーターの変動が生じても、トナー像担持体から転写材に適切な転写が行えるようにして、転写不良による画質低下を防止できるように構成した画像形成装置に関する。
【０００２】
本明細書において、前記「転写材」は次の意味を含む。
（１）記録シート、ＯＨＰ用紙等の最終的にトナー像が転写される転写材、
（２）感光体表面に現像されたトナー像が転写される中間転写体（中間転写ベルト、中間転写ドラム）。
【背景技術】
【０００３】
この種の画像形成装置として、従来、下記図６〜図８に示す技術が知られている。
図６は従来技術の画像形成装置の正断面図である。
図７は従来技術の画像形成装置の要部拡大図であり、図７Ａは感光体表面上の帯電電位の変化に関わる構成部材の配置を示した図、図７Ｂはデタックソー（除電部材）ＤＴＳの拡大斜視図である。
図６、図７Ａにおいて、画像形成装置Ｕは、上面にプラテンガラス（透明な原稿台）ＰＧを有する画像形成装置本体としてのデジタル式の複写機Ｕ1と、前記プラテンガラスＰＧ上に着脱自在に装着される自動原稿搬送装置（オートドキュメントフィーダ、ＡＤＦ）Ｕ2を備えている。
前記自動原稿搬送装置Ｕ2は、複写しようとする複数の原稿Ｇiが重ねて載置される原稿給紙トレイＴG1を有している。前記原稿給紙トレイＴG1に載置された複数の各原稿Ｇiは順次プラテンガラスＰＧ上の複写位置を通過して原稿排紙トレイＴG2に排出されるように構成されている。
【０００４】
前記複写機Ｕ1は、ＵＩ（ユーザインタフェース）と、前記プラテンガラスＰＧの下方に順次配置された画像読取部としてのＩＩＴ（イメージインプットターミナル）および画像記録用作動部としてのＩＯＴ（イメージアウトプットターミナル）と、前記ＩＩＴおよびＩＯＴ間に設けられたＩＰＳ（イメージプロセッシングシステム）とを有している。
複写機本体Ｕ1上面の透明なプラテンガラスＰＧの下方に配置された原稿読取装置としてのＩＩＴは、プラテンレジ位置（ＯＰＴ位置）に配置された露光系レジセンサ（プラテンレジセンサ）Ｓp、および露光光学系Ａを有している。
【０００５】
前記露光光学系Ａは、その移動および停止が露光系レジセンサＳpの検出信号により制御され、常時はホーム位置に停止している。
前記自動原稿搬送装置（オートドキュメントフィーダ）Ｕ2を使用して複写を行うＡＤＦモードの場合は、前記露光光学系Ａはホーム位置に停止した状態で、プラテンガラスＰＧ上の複写位置を順次通過する各原稿Ｇiを露光する。
原稿Ｇiを作業者が手でプラテンガラスＰＧ上に置いて複写を行うプラテンモードの場合、露光光学系Ａは移動しながらプラテンガラスＰＧ上の原稿を露光走査する。
露光された前記原稿Ｇiからの反射光は、前記露光光学系Ａを通ってＣＣＤ（固体撮像素子）上に収束される。前記ＣＣＤは、その撮像面上に収束された原稿反射光を電気信号に変換する。
【０００６】
また、ＩＰＳは、前記ＩＩＴのＣＣＤから入力された読取画像信号をデジタルの画像書込信号に変換してＩＯＴのレーザ駆動信号出力装置ＤLに出力する。
前記レーザ駆動信号出力装置ＤLは、入力された画像データに応じたレーザ駆動信号をＲＯＳ（潜像形成装置）に出力する。
【０００７】
前記ＲＯＳの下方に配置されたドラム状の感光体（本実施例１のトナー像担持体）ＰＲは、矢印Ｙa方向に回転する。前記ドラム状の感光体ＰＲ表面は、帯電領域Ｑ0において帯電ロールＣＲにより−（マイナス）７２０Ｖに帯電された後、潜像形成位置Ｑ1において前記ＲＯＳ（潜像形成装置）のレーザビームＬにより露光走査されて−２００Ｖの静電潜像が形成される。前記静電潜像が形成されたドラム状の感光体ＰＲ表面は回転移動して現像領域Ｑ2、転写領域Ｑ3を順次通過する。
【０００８】
前記現像領域Ｑ2において前記静電潜像を現像する現像器Ｄは、−（マイナス）帯電極性のトナーおよびプラス帯電極性のキャリアを含む現像剤を現像ロールＲ０により現像領域Ｑ2に搬送し、前記現像領域Ｑ2を通過する静電潜像をトナー像に現像する。
前記転写領域Ｑ3において前記ドラム状の感光体ＰＲに対向する転写ロールＴＲは、ドラム状の感光体ＰＲ表面のトナー像をシート（転写材）Ｓに転写する部材であり、現像器Ｄで使用される現像用のトナーの帯電極性と逆極性の転写電圧が電源回路Ｅから供給される。
前記電源回路ＥはコントローラＣにより制御される。
【０００９】
給紙トレイＴＲ1，ＴＲ2に収容されたシートＳは、シート供給路ＳH1，ＳH2により前記転写領域に搬送される。すなわち、前記各トレイＴＲ1，ＴＲ2のシートＳは、所定のタイミングでピックアップロールＲpにより取り出され、さばきロールＲsで１枚づつ分離されて、複数の搬送ロールＲaによりレジロールＲrに搬送される。
前記レジロールＲrに搬送されたシートＳは、前記ドラム状の感光体ＰＲ上のトナー像が転写領域Ｑ3に移動するのにタイミングを合わせて、転写前シートガイドＳG1から転写領域Ｑ3に搬送される。
【００１０】
前記ドラム状の感光体ＰＲ表面に現像されたトナー像Ｔnは、前記転写領域Ｑ3において、トナーの帯電極性と逆極性の転写電圧が印加される転写ロールＴＲによりシートＳに転写される。転写後、ドラム状の感光体ＰＲ表面は、感光体クリーナＣＬ1によりクリーニングされて残留トナーが除去され、次に前記帯電ロールＣＲにより再帯電される。
【００１１】
転写領域Ｑ3において転写ロールＴＲによりトナー像が転写された前記シートＳは、転写領域Ｑ3の下流側の剥離領域Ｑ4においてデタックソーＤＴＳにより除電されて、ドラム状の感光体ＰＲ表面から剥離され、シートガイドＳG2、シート搬送ベルトＢHにより定着領域Ｑ5に搬送される。定着領域Ｑ5を通過するシートＳは、定着装置Ｆにより加熱定着される。
【００１２】
定着装置Ｆの下流側に配置された切替ゲートＧTは、前記定着装置Ｆを通過したシートＳの搬送方向をシート排出路ＳH4またはシート反転路ＳH5のいずれかの方向に切り替える。前記シート排出路ＳH4に搬送されたシートＳは複数の搬送ロールＲaにより排紙トレイＴＲhに排出される。両面複写の場合、１面目のトナー像が転写されたシートＳは、シート反転路ＳH5、シート循環路ＳH6を順次通過することにより反転され、前記レジロールＲｒにより所定のタイミングで取り出されて前記シート転写領域Ｑ3に再送され、２面目にトナー像が転写される。
なお、前記符号ＳH1〜ＳH6，Ｒp，Ｒs，Ｒr，Ｒa，ＧT等で示す構成要素からシート搬送装置ＳHが構成される。
【００１３】
図７Ｂにおいて、デタックソーＤＴＳには前記帯電ロールＣＲにより帯電された感光体ＰＲの帯電電位と同極性の除電電圧が電源回路Ｅから供給される。前記デタックソーＤＴＳのシート接触部Ｓaは鋸状に形成されており、前記シート接触部Ｓaに接触した前記シートＳはプラスに帯電しているため、デタックソーＤＴＳの静電気力により前記感光体ＰＲより剥離される。
【００１４】
図８は感光体表面上のシート前端接触位置からシート後端接触位置までの領域の帯電電位の変化を説明する図であり、図８Ａは１枚目シート用画像形成時の帯電前の感光体表面電位、図８Ｂは帯電後の感光体表面電位、図８Ｃは露光後の感光体表面電位、図８Ｄは転写剥離後の感光体表面電位、図８Ｅは１枚目シート上の転写画像、図８Ｆは２枚目以降のシート用画像形成時の帯電前の感光体表面電位、図８Ｇは帯電後の感光体表面電位、図８Ｈは露光後の感光体表面電位、図８Ｉは転写剥離後の感光体表面電位、図８Ｊは２枚目以降シート上の転写画像、を示す図である。
【００１５】
図８Ａにおいて、１枚目画像の形成時の帯電前の感光体ＰＲ表面の帯電電位は、ほぼ０Ｖである。この図８Ａの感光体ＰＲ表面の帯電状態において、帯電ロールＣＲ（図７Ａ参照）により感光体ＰＲ表面を帯電させると、図８Ｂの状態となる。
図８Ｂにおいて、帯電後の感光体ＰＲ表面の帯電電位は例えば−７２０Ｖである。図８Ｂの状態において、前記図７Ａに示すＲＯＳ（潜像形成装置）が出射するレーザビームＬによりにより感光体ＰＲ表面を露光すると−７２０Ｖに帯電した背景部と例えば−２００Ｖに帯電した画像部とを有する静電潜像が形成され、図８Ｃの状態となる。
【００１６】
図８Ｃにおいて、露光後の感光体ＰＲ表面の帯電電位は、背景部帯電電位が−７２０Ｖ、画像部帯電電位は−２００Ｖである。この場合、帯電電位−７２０Ｖの背景部と帯電電位−２００Ｖの画像部とを有する静電潜像が形成される。前記感光体ＰＲ表面の静電潜像をトナ−像に現像する場合、感光体ＰＲ（図７参照）の内面をアース（接地）し且つ現像ロールＲ０に例えば−６００Ｖの現像バイアスを印加する。この時、現像ロールＲ０に付着した−（マイナス）帯電トナーは、前記−２００Ｖの感光体ＰＲ表面に移動するので、前記静電潜像をトナー像に現像することができる。
前記感光体ＰＲの表面に現像された前記トナー像は、前記転写領域Ｑ3（図７Ａ参照）に搬送され、前記トナー像の移動タイミングに合わせて転写前シートガイドＳG1から搬送されたシートＳに転写される。
なお、前記図８Ｃの静電潜像を現像したトナー像が転写されたシートＳの画像は、例えば図８Ｅの印刷例に示すようになる。
トナー像が転写されたシートＳは、剥離領域Ｑ4において、シートＳが前記感光体ＰＲ表面から剥離されると図８Ｄの状態となる。
【００１７】
図８Ｄにおいて、転写剥離後（トナー像をシートＳに転写してからシートＳ後端が剥離した後）の感光体ＰＲ表面電位は、例えば図８Ｄのように、わずかに＋に帯電し且つ画像部であった部分の電位は背景部であった部分の電位よりもわずかに高い値に帯電する。なお、画像部だった部分が他より高いか低いかは転写や現像の条件によって異なる。
そして、トナー像が転写されたシートＳ後端部が感光体ＰＲ表面から剥離した時に発生する剥離放電により、感光体ＰＲの前記放電箇所ＥＤ1は大きなプラス電位に帯電される。前記放電箇所ＥＤ1の帯電電位は、通常は除電電圧を印加されるデタックソーＤＴＳとの間の放電により除電される。
しかし、前記転写領域Ｑ３が高温高湿状態では、シートが導電性を有する。前記導電性シートが転写領域Ｑ３を通過する際、転写ロールＴＲからデタックソーＤＴＳに電流が流れる。転写バイアスが定電流制御の場合、前記デタックソーＤＴＳに電流が流れると、転写電流が不足して転写不良が発生する。そこで、シートＳが導電性を有する場合（高温高湿時等）は、前記デタックソーＤＴＳに印加する除電電圧をオフにしたり低下させることが一般的に行われている。この場合、前記放電箇所ＥＤ1の帯電電位が感光体ＰＲ表面に残った状態で２枚目以降の画像記録を行うことになる。この場合は、図８Ｆの帯電状態で２枚目以降の画像記録を開始することになる。
【００１８】
図８Ｆにおいて、２枚目画像の形成時の帯電前の感光体ＰＲ表面の帯電電位は、前記図８Ｄの帯電電位が残っている状態である。 前記図８Ｆの帯電パターン状態において帯電すると、図８Ｇのようになる。
図８Ｇにおいて、前記図８Ｄ、図８Ｆの放電箇所ＥＤ1の部分は他の部分の帯電電位、例えば−７２０Ｖよりも帯電電位の絶対値が小さくなる。例えば、前記放電箇所ＥＤ1の部分の帯電電位は−６７０Ｖになる。
【００１９】
図８Ｈにおいて、前記図８Ｇの状態の感光体ＰＲ表面を露光すると、露光後の感光体ＰＲ表面の帯電電位は、背景部帯電電位が例えば−７２０Ｖ、画像部帯電電位は例えば−２００Ｖ、前記図８Ｇの放電箇所ＥＤ1帯電電位は例えば−６７０Ｖとなる。この場合、電位−７２０Ｖまたは−６７０Ｖの背景部に対して電位−２００Ｖの画像部を有する静電潜像が形成される。前記感光体ＰＲ表面の静電潜像を、例えば−６００Ｖの現像バイアスを印加した現像ロールＲ０によりトナー像に現像することができる。
なお、前記図８Ｈの静電潜像を現像したトナー像が転写されたシートＳの画像は、例えば図８Ｊの印刷例に示すようになる。図８Ｊの場合、前記放電箇所ＥＤ1に対応する部分に薄い黒帯ＥＤ１´が印刷されてしまう。
このトナー像をシートＳに転写すると、転写後の感光体ＰＲ表面の帯電電位は図８Ｉに示すようになる。
図８Ｉにおいて、転写剥離後（トナーをシートＳに転写してからシートＳ後端が剥離した後）の感光体ＰＲ表面電位は例えば図８Ｉのように、わずかに＋に帯電し且つ画像部であった部分の電位は背景部であった部分の電位よりもわずかに高い値に帯電する。
そして、トナー像が転写されたシートＳ後端部が感光体ＰＲ表面から剥離した時の剥離放電により、感光体ＰＲの前記放電箇所ＥＤ2は、前記図８Ｄの放電箇所ＥＤ1の場合と同様に大きなプラス電位に帯電される。
【発明の開示】
【発明が解決しようとする課題】
【００２０】
前記図８の説明から分かるように、シートＳの導電性が高くなった場合に、前記デタックソーＤＴＳをアース（接地）またはフローティング状態にすると、前記デタックソーＤＴＳの除電機能はなくなる。その場合、前記剥離放電による黒帯（図８参照）が再び発生してしまうという問題があった。
【００２１】
本発明者は前記剥離放電による黒帯と感光体表面における帯電電位との関連性を研究した結果、下記図９に示す事実を確認した。
【００２２】
図９は、感光体ＰＲ上の背景部帯電電位Ｖｈと現像ロールに印加する直流現像バイアスＶｄとの電位差（Ｖｈ−Ｖｄ）と、剥離放電によってシート印刷面に発生する黒帯の濃度Ｐとの関係を示すグラフである。
図９において、横軸には感光体ＰＲ上の背景部帯電電位Ｖｈと現像ロールに印加する直流現像バイアスＶｄとの電位差（Ｖｈ−Ｖｄ）が表されている。そして、縦軸に表された前期剥離放電により発生する黒帯濃度Ｐは次のようである。
０≦Ｐ＜１：黒帯は殆ど目立たない。
１≦Ｐ＜２：非常に薄い黒帯発生。
２≦Ｐ  ：薄い黒帯発生。
【００２３】
前記図８のように放電箇所ＥＤ1の帯電電位を前記デタックソーＤＴＳにより除電せずに２枚目以降の画像記録を行う場合、放電箇所を除く感光体ＰＲ上の背景部帯電電位Ｖｈ1は−７２０Ｖであり、放電箇所の１周後の感光体ＰＲ上の背景部帯電電位Ｖｈ2は−６７０Ｖである（図８参照）。また、現像ロールＲ０に印加する直流現像バイアスは−６００Ｖである。
したがって、感光体ＰＲ上の背景部帯電電位Ｖｈと現像ロールＲ０に印加する直流現像バイアスＶｄとの電圧差（Ｖｈ−Ｖｄ）は、前記放電箇所を除く背景部ではＶｈ1−Ｖｄ＝−１２０Ｖ、前記放電箇所の背景部ではＶｈ−Ｖｄ＝−７０Ｖとなる。
図９において、Ｖｈ1−Ｖｄ＝−１２０Ｖのとき、前記剥離放電により発生する黒帯濃度Ｐは約０．７となり、前記黒帯は殆ど目立たない。一方Ｖｈ2−Ｖｄ＝−７０Ｖのとき、前記黒帯濃度Ｐは約１．６となり、非常に薄い黒帯が発生する。
【００２４】
本発明は前述の事情に鑑み、下記（Ｏ01）の記載内容を課題とする。
（Ｏ01）シートの導電性が高くなっている状態で、良好な転写を行えるようにすること。
（Ｏ02）背景部に薄い帯状画像が形成されることを防止すること。
【課題を解決するための手段】
【００２５】
次に、前記課題を解決するために案出した本発明を説明するが、本発明の要素には、後述の実施例の要素との対応を容易にするため、実施例の要素の符号をカッコで囲んだものを付記する。
なお、本発明を後述の実施例と対応させて説明する理由は、本発明の理解を容易にするためであり、本発明の範囲を実施例に限定するためではない。
【００２６】
（第１発明）
前記課題を解決するために第１発明の回転伝達ユニットは下記の構成要件（Ａ01）〜（Ａ09）を備えたことを特徴とする。
（Ａ01）回転移動する表面が帯電領域（Ｑ０）、潜像形成位置（Ｑ1）、現像領域（Ｑ2）、転写領域（Ｑ3）を順次通過する感光体（ＰＲ）、前記帯電領域（Ｑ0）において前記感光体（ＰＲ）表面を一様に帯電させる帯電部材（ＣＲ）、前記潜像形成位置（Ｑ1）において前記帯電された感光体（ＰＲ）表面に静電潜像を形成する潜像形成装置（ＲＯＳ）、および、前記現像領域（Ｑ2）において前記静電潜像をトナー像に現像する現像装置（Ｅ1＋Ｄ＋ＤＭ2＋Ｍ2）、を備えたトナー像形成装置（ＰＲ＋ＣＲ＋ＲＯＳ＋Ｅ1＋Ｄ＋ＤＭ2＋Ｍ2）、
（Ａ02）前記帯電部材（ＣＲ）と、前記帯電部材（ＣＲ）に帯電電圧を印加する帯電用電源回路（Ｅ2）と、前記帯電用電源回路（Ｅ2）の動作を制御して前記帯電部材（ＣＲ）により帯電される感光体（ＰＲ）表面の帯電電位を制御する帯電電位制御手段（Ｃ4）とを有する帯電制御装置（ＣＲ＋Ｅ2＋Ｃ4）、
（Ａ03）前記トナー像形成装置（ＰＲ＋ＣＲ＋ＲＯＳ＋Ｅ1＋Ｄ＋ＤＭ2＋Ｍ2）により形成されたトナー像（Ｔｎ）を担持して前記トナー像（Ｔｎ）をシート（Ｓ）に転写するシート転写領域（Ｑ3）に搬送するシート転写トナー像担持部材（ＰＲ）、
（Ａ04）前記シート転写領域（Ｑ3）を通過するシート転写トナー像担持部材表面のトナー像を記録シート（Ｓ）に転写するシート転写部材（ＴＲ）と、前記シート転写部材（ＴＲ）に転写電流を印加する転写用電源回路（Ｅ3）と、前記転写用電源回路（Ｅ3）を定電流制御する転写制御手段（Ｃ5）とを有するシート転写制御装置（ＴＲ＋Ｅ3＋Ｃ5）、
（Ａ05）前記記録シート（Ｓ）を、前記トナー像（Ｔｎ）が転写されるシート転写位置（Ｑ3）および定着領域（Ｑ5）に順次搬送するシート搬送装置（ＳＨ）、
（Ａ06）前記シート転写領域（Ｑ3）のシート搬送方向下流側に隣接して配置され且つシート転写領域通過時に帯電したシート（Ｓ）を除電する除電部材（ＤＴＳ）と、除電部材（ＤＴＳ）に除電電圧を印加する除電用電源回路（Ｅ4）と、前記除電用電源回路（Ｅ4）の動作を制御して除電部材（ＤＴＳ）の電位を制御する除電制御手段（Ｃ6）とを備えた除電制御装置（ＤＴＳ＋Ｅ4＋Ｃ6））、
（Ａ07）前記定着領域（Ｑ5）において前記記録シート（Ｓ）上のトナー像（Ｔｎ）を定着する定着装置（Ｆ）、
（Ａ08）前記シート転写領域（Ｑ3）を通過するシート（Ｓ）の導電性を検出するシート導電性検出器（ＳN）と、前記シート導電性検出器（ＳN）の検出信号に応じてシート（Ｓ）が導電性を有する状態であるか否かを判別するシート導電性判別手段（Ｃ１c）とを有するシート導電性検出装置（ＳN＋Ｃ1）、
（Ａ09）前記シート（Ｓ）が導電性を有する状態である場合に、前記感光体（ＰＲ）の帯電電位が高くなるように帯電用電源回路（Ｅ2）の動作を制御する前記帯電電位制御手段（Ｃ4）、
（Ａ010）前記シート（Ｓ）が導電性を有する状態である場合に、前記除電部材（ＤＴＳ）の除電電圧が低下するように前記除電用電源回路（Ｅ4）の動作を制御する前記除電制御手段（Ｃ6）。
【００２７】
（第１発明の作用）
前記構成要件（Ａ01）〜（Ａ010）を備えた第１発明の画像形成装置では、回転移動する感光体（ＰＲ）表面は、帯電領域（Ｑ0）、潜像形成位置（Ｑ1）、現像領域（Ｑ2）、転写領域（Ｑ3）を順次通過する。前記帯電部材（ＣＲ）は感光体（ＰＲ）表面を前記帯電領域（Ｑ0）において一様に帯電させる。潜像形成装置（ＲＯＳ）は前記潜像形成位置（Ｑ1）において前記帯電された感光体（ＰＲ）表面に静電潜像を形成する。トナー像形成装置（ＰＲ＋ＣＲ＋ＲＯＳ＋Ｅ1＋Ｄ＋ＤＭ2＋Ｍ2）の現像装置（Ｅ1＋Ｄ＋ＤＭ2＋Ｍ2）は前記現像領域（Ｑ2）において前記静電潜像をトナー像（Ｔｎ）に現像する。
帯電制御装置（Ｃ4＋Ｅ2＋ＣＲ）の帯電電位制御手段（Ｃ4）は前記帯電用電源回路（Ｅ2）の動作を制御して前記帯電部材（ＣＲ）により帯電される感光体（ＰＲ）表面の帯電電位を制御する。
シート転写トナー像担持部材（ＰＲ）は前記トナー像形成装置（ＰＲ＋Ｃｒ＋ＲＯＳ＋Ｅ1＋Ｄ＋ＤＭ2＋Ｍ2）により形成されたトナー像（Ｔｎ）を担持して前記トナー像（Ｔｎ）をシート（Ｓ）に転写するシート転写領域（Ｑ3）に搬送する。
シート転写制御装置（ＴＲ＋Ｅ3＋Ｃ5）のシート転写部材（ＴＲ）は前記シート転写領域（Ｑ3）を通過するシート転写トナー像担持部材（ＰＲ）表面のトナー像を記録シート（Ｓ）に転写する。転写用電源回路（Ｅ3）は前記シート転写部材（ＴＲ）に転写電流を印加する。また、転写制御手段（Ｃ5）は前記転写用電源回路（Ｅ3）を定電流制御する。
【００２８】
シート搬送装置（ＳＨ）は前記記録シート（Ｓ）を、前記トナー像が転写されるシート転写位置（Ｑ3）および定着領域（Ｑ5）に順次搬送する。
除電制御装置（ＤＴＳ＋Ｅ4＋Ｃ6）の除電部材（ＤＴＳ）は前記シート転写領域（Ｑ3）のシート搬送方向下流側に隣接して配置され且つシート転写領域通過時に帯電したシート（Ｓ）を除電する。前記除電用電源回路（Ｅ4）は除電部材（ＤＴＳ）に除電電圧を印加する。また、前記除電制御手段（Ｃ6）は前記除電用電源回路（Ｅ4）の動作を制御して除電部材（ＤＴＳ）の電位を制御する。
定着装置（Ｆ）は前記定着領域（Ｑ5）において前記記録シート（Ｓ）上のトナー像を定着する。
シート導電性検出装置（ＳN＋Ｃ1）の前記シート導電性検出器（ＳN）は前記シート転写領域（Ｑ3）を通過するシート（Ｓ）の導電性を検出する。前記シート導電性判別手段（Ｃ１c）は前記シート導電性検出器（ＳN）の検出信号に応じてシート（Ｓ）が導電性を有する状態であるか否かを判別する。
前記帯電電位制御手段（Ｃ4）は前記シート（Ｓ）が導電性を有する状態である場合に、前記感光体（ＰＲ）の帯電電位が高くなるように帯電用電源回路（Ｅ2）の動作を制御する。前記除電制御手段（Ｃ6）は前記シート（Ｓ）が導電性を有する状態である場合に、前記除電部材（ＤＴＳ）の除電電圧が低下するように前記除電用電源回路（Ｅ4）の動作を制御する。
第１発明では、前記除電部材（ＤＴＳ）の除電電圧が低下すると剥離放電が生じ易くなるが、帯電ロールにより帯電させた剥離放電箇所の帯電電位と現像バイアスとの差が、黒帯の目立ちにくい範囲になる。
【００２９】
（第２発明）
前記課題を解決するために第２発明の回転伝達ユニットは下記の構成要件（Ａ01）〜（Ａ09），（Ａ11）を備えたことを特徴とする。
（Ａ01）回転移動する表面が帯電領域（Ｑ０）、潜像形成位置（Ｑ1）、現像領域（Ｑ2）、転写領域（Ｑ3）を順次通過する感光体（ＰＲ）、前記帯電領域（Ｑ0）において前記感光体（ＰＲ）表面を一様に帯電させる帯電部材（ＣＲ）、前記潜像形成位置（Ｑ1）において前記帯電された感光体（ＰＲ）表面に静電潜像を形成する潜像形成装置（ＲＯＳ）、および、前記現像領域（Ｑ2）において前記静電潜像をトナー像に現像する現像装置（Ｅ1＋Ｄ＋ＤＭ2＋Ｍ2）、を備えたトナー像形成装置（ＰＲ＋ＣＲ＋ＲＯＳ＋Ｅ1＋Ｄ＋ＤＭ2＋Ｍ2）、
（Ａ02）前記帯電部材（ＣＲ）と、前記帯電部材（ＣＲ）に帯電電圧を印加する帯電用電源回路（Ｅ2）と、前記帯電用電源回路（Ｅ2）の動作を制御して前記帯電部材（ＣＲ）により帯電される感光体（ＰＲ）表面の帯電電位を制御する帯電電位制御手段（Ｃ4）とを有する帯電制御装置（ＣＲ＋Ｅ2＋Ｃ4）、
（Ａ03）前記トナー像形成装置（ＰＲ＋ＣＲ＋ＲＯＳ＋Ｅ1＋Ｄ＋ＤＭ2＋Ｍ2）により形成されたトナー像（Ｔｎ）を担持して前記トナー像（Ｔｎ）をシート（Ｓ）に転写するシート転写領域（Ｑ3）に搬送するシート転写トナー像担持部材（ＰＲ）、
（Ａ04）前記シート転写領域（Ｑ3）を通過するシート転写トナー像担持部材表面のトナー像を記録シート（Ｓ）に転写するシート転写部材（ＴＲ）と、前記シート転写部材（ＴＲ）に転写電流を印加する転写用電源回路（Ｅ3）と、前記転写用電源回路（Ｅ3）を定電流制御する転写制御手段（Ｃ5）とを有するシート転写制御装置（ＴＲ＋Ｅ3＋Ｃ5）、
（Ａ05）前記記録シート（Ｓ）を、前記トナー像（Ｔｎ）が転写されるシート転写位置（Ｑ3）および定着領域（Ｑ5）に順次搬送するシート搬送装置（ＳＨ）、
（Ａ06）前記シート転写領域（Ｑ3）のシート搬送方向下流側に隣接して配置され且つシート転写領域通過時に帯電したシート（Ｓ）を除電する除電部材（ＤＴＳ）と、除電部材（ＤＴＳ）に除電電圧を印加する除電用電源回路（Ｅ4）と、前記除電用電源回路（Ｅ4）の動作を制御して除電部材（ＤＴＳ）の電位を制御する除電制御手段（Ｃ6）とを備えた除電制御装置（ＤＴＳ＋Ｅ4＋Ｃ6））、
（Ａ07）前記定着領域（Ｑ5）において前記記録シート（Ｓ）上のトナー像（Ｔｎ）を定着する定着装置（Ｆ）、
（Ａ08）前記シート転写領域（Ｑ3）を通過するシート（Ｓ）の導電性を検出するシート導電性検出器（ＳN）と、前記シート導電性検出器（ＳN）の検出信号に応じてシート（Ｓ）が導電性を有する状態であるか否かを判別するシート導電性判別手段（Ｃ１c）とを有するシート導電性検出装置（ＳN＋Ｃ1）、
（Ａ09）前記シート（Ｓ）が導電性を有する状態である場合に、前記感光体（ＰＲ）の帯電電位が高くなるように帯電用電源回路（Ｅ2）の動作を制御する前記帯電電位制御手段（Ｃ4）、
（Ａ011）前記シート（Ｓ）が導電性を有する状態である場合に、前記除電部材（ＤＴＳ）を接地させる前記除電制御手段（Ｃ6）。
【００３０】
（第２発明の作用）
第２発明において、前記構成要件（Ａ01）〜（Ａ09）は前記第１発明の構成要件（Ａ01）〜（Ａ09）と略同一である。そのため、前記構成要件（Ａ01）〜（Ａ09）の作用の詳細な説明は省略する。
前記構成要件（Ａ01）〜（Ａ09），（Ａ11）を備えた第２発明の画像形成装置では、前記除電制御手段（Ｃ6）は前記シート（Ｓ）が導電性を有する状態である場合に、前記除電部材（ＤＴＳ）を接地する。
第２発明では、前記前記除電部材（ＤＴＳ）を接地することにより、剥離放電が生じるが、帯電ロールにより帯電させた前記剥離放電箇所の帯電電位と現像バイアスとの差が、黒帯の目立ちにくい範囲になる。
【００３１】
（第３発明）
前記課題を解決するために第３発明の回転伝達ユニットは下記の構成要件（Ａ01）〜（Ａ09），（Ａ12）を備えたことを特徴とする。
（Ａ01）回転移動する表面が帯電領域（Ｑ０）、潜像形成位置（Ｑ1）、現像領域（Ｑ2）、転写領域（Ｑ3）を順次通過する感光体（ＰＲ）、前記帯電領域（Ｑ0）において前記感光体（ＰＲ）表面を一様に帯電させる帯電部材（ＣＲ）、前記潜像形成位置（Ｑ1）において前記帯電された感光体（ＰＲ）表面に静電潜像を形成する潜像形成装置（ＲＯＳ）、および、前記現像領域（Ｑ2）において前記静電潜像をトナー像に現像する現像装置（Ｅ1＋Ｄ＋ＤＭ2＋Ｍ2）、を備えたトナー像形成装置（ＰＲ＋ＣＲ＋ＲＯＳ＋Ｅ1＋Ｄ＋ＤＭ2＋Ｍ2）、
（Ａ02）前記帯電部材（ＣＲ）と、前記帯電部材（ＣＲ）に帯電電圧を印加する帯電用電源回路（Ｅ2）と、前記帯電用電源回路（Ｅ2）の動作を制御して前記帯電部材（ＣＲ）により帯電される感光体（ＰＲ）表面の帯電電位を制御する帯電電位制御手段（Ｃ4）とを有する帯電制御装置（ＣＲ＋Ｅ2＋Ｃ4）、
（Ａ03）前記トナー像形成装置（ＰＲ＋ＣＲ＋ＲＯＳ＋Ｅ1＋Ｄ＋ＤＭ2＋Ｍ2）により形成されたトナー像（Ｔｎ）を担持して前記トナー像（Ｔｎ）をシート（Ｓ）に転写するシート転写領域（Ｑ3）に搬送するシート転写トナー像担持部材（ＰＲ）、
（Ａ04）前記シート転写領域（Ｑ3）を通過するシート転写トナー像担持部材表面のトナー像を記録シート（Ｓ）に転写するシート転写部材（ＴＲ）と、前記シート転写部材（ＴＲ）に転写電流を印加する転写用電源回路（Ｅ3）と、前記転写用電源回路（Ｅ3）を定電流制御する転写制御手段（Ｃ5）とを有するシート転写制御装置（ＴＲ＋Ｅ3＋Ｃ5）、
（Ａ05）前記記録シート（Ｓ）を、前記トナー像（Ｔｎ）が転写されるシート転写位置（Ｑ3）および定着領域（Ｑ5）に順次搬送するシート搬送装置（ＳＨ）、
（Ａ06）前記シート転写領域（Ｑ3）のシート搬送方向下流側に隣接して配置され且つシート転写領域通過時に帯電したシート（Ｓ）を除電する除電部材（ＤＴＳ）と、除電部材（ＤＴＳ）に除電電圧を印加する除電用電源回路（Ｅ4）と、前記除電用電源回路（Ｅ4）の動作を制御して除電部材（ＤＴＳ）の電位を制御する除電制御手段（Ｃ6）とを備えた除電制御装置（ＤＴＳ＋Ｅ4＋Ｃ6））、
（Ａ07）前記定着領域（Ｑ5）において前記記録シート（Ｓ）上のトナー像（Ｔｎ）を定着する定着装置（Ｆ）、
（Ａ08）前記シート転写領域（Ｑ3）を通過するシート（Ｓ）の導電性を検出するシート導電性検出器（ＳN）と、前記シート導電性検出器（ＳN）の検出信号に応じてシート（Ｓ）が導電性を有する状態であるか否かを判別するシート導電性判別手段（Ｃ１c）とを有するシート導電性検出装置（ＳN＋Ｃ1）、
（Ａ09）前記シート（Ｓ）が導電性を有する状態である場合に、前記感光体（ＰＲ）の帯電電位が高くなるように帯電用電源回路（Ｅ2）の動作を制御する前記帯電電位制御手段（Ｃ4）、
（Ａ012）前記シート（Ｓ）が導電性を有する状態である場合に、前記除電部材（ＤＴＳ）をフローティング状態にする前記除電制御手段（Ｃ6）。
【００３２】
（第３発明の作用）
第３発明において、前記構成要件（Ａ01）〜（Ａ09）は前記第１発明の構成要件（Ａ01）〜（Ａ09）と略同一である。そのため、前記構成要件（Ａ01）〜（Ａ09）の作用の詳細な説明は省略する。
前記構成要件（Ａ01）〜（Ａ09），（Ａ12）を備えた第３発明の画像形成装置では、
前記除電制御手段（Ｃ6）は前記シート（Ｓ）が導電性を有する状態である場合に、前記除電部材（ＤＴＳ）をフローティング状態にする。
第３発明では、前記除電部材（ＤＴＳ）をフローティング状態にすることにより、剥離放電が生じるが、帯電ロールにより帯電させた前記剥離放電箇所の帯電電位と現像バイアスとの差が、黒帯の目立ちにくい範囲になる。
【発明の効果】
【００３３】
前述の本発明は次の効果（Ｅ01），（Ｅ02）を奏する。
（Ｅ01）シートの導電性が高くなっている状態で、良好な転写を行うことができる。
（Ｅ02）背景部に薄い帯状画像が形成されることを防止することができる。
【発明を実施するための最良の形態】
【００３４】
（実施例）
次に図面を参照しながら、本発明の実施例を説明するが、本発明は以下の実施例に限定されるものではない。
本発明の実施例の画像形成装置の機械的構成部分は、前記図６、図７に示した従来の画像形成装置の機械的構成部分と同様である。したがって、本発明の実施例の画像形成装置の機械的構成部分について、その詳細な説明を省略する。
【００３５】
（実施例の制御部の説明）
図１は本発明の画像形成装置の実施例の制御部分のブロック線図である。
図１において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３６】
（前記コントローラＣに接続された信号入力要素）
前記コントローラＣは、ＵＩ（ユーザインタフェース）、湿度センサＳN、その他の信号入力要素からの信号が入力されている。
ＵＩ：ユーザインタフェース
ユーザインタフェースＵＩは、表示器ＵＩa、コピースタートキーＵＩb，コピー枚数入力キーＵＩc、テンキーＵＩd等を備えている。
ＳN：湿度センサ（シート導電性検出器）
湿度センサＳNは、吸収湿度計であり、絶対湿度を検出し、検出信号を出力する。
【００３７】
（前記コントローラＣに接続された制御要素）
また、コントローラＣは、ＩＰＳ、感光体駆動回路ＤＭ1、現像ロール駆動回路ＤＭ2、電源回路Ｅ、その他の制御要素に接続されており、それらの作動制御信号を出力している。前記電源回路Ｅは現像バイアス電源回路Ｅ1、帯電用電源回路Ｅ2、転写用電源回路Ｅ3、除電用電源回路Ｅ4等を有している。
前記感光体駆動回路ＤＭ1は感光体駆動モータＭ1を介して感光体ＰＲを回転駆動する。前記感光体駆動回路ＤＭ1および感光体駆動モータＭ1により感光体回転駆動装置（ＤＭ1＋Ｍ1）が構成されている。
現像ロール駆動回路ＤＭ2は現像ロール駆動モータＭ2を介して現像器Ｄの現像ロールＲ０を回転駆動する。前記現像ロール駆動回路ＤＭ2および現像ロール駆動モータＭ2により現像ロール回転駆動装置（ＤＭ2＋Ｍ2）が構成される。
【００３８】
前記現像バイアス電源回路Ｅ1は現像器Ｄの現像ロールＲ０に現像バイアス電圧（−６００Ｖ）を印加する。前記現像器Ｄは−（マイナス）帯電極性のトナーおよび＋（プラス）帯電極性のキャリアを含む現像剤を使用している。
前記現像バイアス電源回路Ｅ1、現像器Ｄ、現像ロール駆動回路ＤＭ2および現像ロール駆動モータＭ2により現像装置（Ｅ1＋Ｄ＋ＤＭ2＋Ｍ2）が構成される。
【００３９】
前記帯電用電源回路Ｅ2は帯電ロール（帯電部材）ＣＲに帯電電圧を印加−７２０Ｖまたは−７４０Ｖする。
前記転写用電源回路Ｅ3は転写ロール（転写部材）ＴＲに転写電流を印加する。
前記除電用電源回路Ｅ4はデタックソー（除電部材）ＤＴＳに剥離用除電電圧（−１．５ｋＶ）を印加する。
【００４０】
（前記コントローラＣの機能）
前記コントローラＣは、前記信号出力要素からの入力信号に応じた処理を実行して、前記各制御要素に制御信号を出力する機能を有している。
すなわち、コントローラＣは次の機能を有している。
Ｃ1：シート導電性検出判別手段
シート導電性検出判別手段Ｃ1は、シート導電性検出手段Ｃ１aおよび判別用基準湿度記憶手段Ｃ1b、シート導電性判別手段Ｃ１cを有しており、前記湿度センサＳNの計測値に基づいてシートＳの導電性の有無を検出、判別する
前記湿度センサＳNおよび前記Ｃ1によりシート導電性検出装置（ＳN＋Ｃ1）が構成される。
Ｃ１a：湿度検出手段
湿度検出手段Ｃ１aは、前記湿度センサＳNの出力信号に基づいて湿度Ｈ１を検出する。
Ｃ１b：判別用基準湿度記憶手段
判別用基準湿度記憶手段Ｃ１bはシート導電性の有無を判断するための判別用基準湿度Ｈ２（例えばＨ２＝ １.０％（絶対湿度＝水分重量／乾き空気重量）を記憶する。
Ｃ１c：シート導電性判別手段
シート導電性判別手段Ｃ１cは、前記湿度検出手段Ｃ1aにより検出された前記湿度Ｈ１と前記判別用基準湿度記憶手段Ｃ1bに記憶された前記判別用基準湿度Ｈ２の値とを比較し、前記シートＳの導電性の有無を判別する。
【００４１】
Ｃ2：レーザ出力制御手段
レーザ出力制御手段Ｃ2は、レーザ駆動回路ＤLにレーザ出力制御信号を出力するとともにＩＰＳを介してレーザ駆動回路ＤLにレーザオン・オフ制御信号を出力する。
Ｃ3：現像バイアス制御手段
現像バイアス制御手段Ｃ3は、現像バイアス電源回路Ｅ1に現像バイアス制御信号を出力する。
【００４２】
Ｃ4：帯電電位制御手段
帯電電位制御手段Ｃ4は、前記シート導電性検出判別手段Ｃ1によって判別されたシートＳの導電性の有無に応じて、帯電用電源回路Ｅ2の動作を制御して帯電ロールＣＲにより帯電される感光体ＰＲ表面の帯電電位を制御する。感光体ＰＲ表面の帯電電位は通常時は−７２０Ｖ、シートＳが導電性を有する場合（高湿度環境時等）は−７５０Ｖに帯電される。
前記帯電電位制御手段Ｃ4と前記帯電ロールＣＲと帯電用電源回路Ｅ2とにより帯電制御装置（ＣＲ＋Ｅ2＋Ｃ4）が構成される。
Ｃ5：転写制御手段
転写制御手段Ｃ5は、定電流（例えば２０μアンペア）転写を行うように転写用電源回路Ｅ3を制御する。
前記転写制御手段Ｃ5と前記転写用電源回路Ｅ3と転写ロールＴＲとによりシート転写制御装置（ＴＲ＋Ｅ3＋Ｃ5）が構成される。
Ｃ６：除電制御手段
除電制御手段Ｃ6は、前記シート導電性検出判別手段Ｃ１によって判別されたシートＳの導電性の有無に応じて、除電用電源回路Ｅ4の動作を制御してデタックソーＤＴＳの印加電圧を制御する。デタックソーＤＴＳの印加電圧は通常時は−１.５ＫＶ、シートが導電性を有する場合は０Ｖである。
前記除電制御手段Ｃ6と前記所電用電源回路Ｅ4とデタックソーＤＴＳとにより除電制御装置（ＤＴＳ＋Ｅ4＋Ｃ6）が構成される。
【００４３】
（フローチャートの説明）
次に本発明の実施例の画像形成装置ＵのコントローラＣが行う処理のフローチャートを説明する。
【００４４】
（シートの導電性に応じた画像形成動作パラメーター設定処理）
図２は本実施例の画像形成装置のシートの導電性に応じた画像形成動作パラメーター設定処理のフローチャートである。
図２のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。
図２に示すシートの導電性に応じた画像形成動作パラメーター設定処理のフローチャートは、電源オンにより開始される。
【００４５】
図２のＳＴ1（ステップ１）において、コピースタートキーがオンしたか否か判断する。ノー（Ｎ）の場合はＳＴ1を繰り返し実行する。イエス（Ｙ）の場合はＳＴ2に移る。
ＳＴ2において、センサＳＮの検出信号に基づいて湿度Ｈ１を検出する。
ＳＴ3において、前記ＳＴ2の検出結果から、シート導電性は有りか否か判別する。この判別は、検出湿度Ｈ１が判別用基準湿度Ｈ２に対して、Ｈ１≧Ｈ２か否かによ判別する。ノー（Ｎ）の場合はＳＴ4に移り、イエス（Ｙ）の場合はＳＴ5に移る。
次にＳＴ4において、次の通常モード時の処理を行う。
（１） デタックソーＤＴＳの印加電圧を通常値（−１．５ｋＶ）に設定する。
（２） 帯電ロールＣＲの帯電用印加電圧を通常値（−７２０Ｖ）に設定する。
ＳＴ5において、次の高湿モード時（シート導電性有りのとき）の処理を行う。
（１） デタックソーＤＴＳの印加電圧をオフに設定する。
（２） 帯電ロールＣＲの帯電用印加電圧を通常値より高く（−７４０Ｖ）に設定する。
前記ＳＴ４，ＳＴ5の処理を終了すると、前記ＳＴ１に戻る。
【００４６】
（実施例の作用）
前記構成を備えた画像形成装置Ｕでは、コピースタートキーＵＩbがオンになった場合、湿度センサＳNが起動し出力信号を湿度検出手段Ｃ１aに送信する。判別用基準湿度記憶手段Ｃ１ｂにはシート導電性判別用の判別用基準湿度Ｈ２（Ｈ２＝１．０％）が記憶されており、前記判別用基準湿度Ｈ２と前記湿度検出手段Ｃ１ａが検出した検出湿度Ｈ１とを前記シート導電性判別手段Ｃ１cにより比較して前記シートＳの導電性の有無を判別する。
【００４７】
（通常モード時の作用）
図３は、シート導電性判別手段Ｃ１ｃによってシートに導電性が無いと判別された通常モードの場合、感光体ＰＲ表面上のシート前端接触位置からシート後端接触位置までの領域の帯電電位の状態を説明する図であり、前記図８に対応する図である。
なお、図３の説明において、前記図８の説明内容と重複する記載はその詳細な説明を省略する。
【００４８】
図３Ａにおいて、１枚目画像の形成時の帯電前の感光体ＰＲ表面の帯電電位は、ほぼ０Ｖである。通常モードの場合、デタックソーＤＴＳの印加電圧は通常値−１．５Ｖに設定されている。また、帯電ロールＣＲの印加電圧は通常値−７２０Ｖに設定されている。
図３Ｂにおいて、帯電後の前記感光体ＰＲ表面の帯電電位は−７２０Ｖである。図３Ｂの状態において、潜像形成装置ＲＯＳが出射するレーザビームＬにより感光体ＰＲ表面を露光すると−７２０Ｖの背景部帯電電位の中に−２００Ｖの静電潜像が形成され、図３Ｃの状態となる。
【００４９】
図３Ｃにおいて、露光後の前記感光体ＰＲ表面の帯電電位は、背景部帯電電位が−７２０Ｖ、画像部帯電電位は−２００Ｖである。この場合、帯電電位−７２０Ｖの背景部と帯電電位−２００Ｖの画像部とを有する静電潜像が形成される。
そして、感光体ＰＲの内面をアース（接地）し且つ現像ロールＲ０内面に−６００Ｖの現像バイアスを印加する。現像ロールＲ０表面に付着したトナーは、前記現像ロールＲ０の内面に印加される現像バイアス−６００Ｖにより、前記静電潜像の−２００Ｖの画像部に移動する。そして、前記−２００Ｖの画像部はトナー像に現像される。
現像された感光体ＰＲ表面の前記トナー像は、感光体ＰＲの回転に伴って、転写領域Ｑ3に搬送され、シートＳに転写される。
そして、剥離領域Ｑ4において、シートＳは通常値−１．５Ｖに印加されたデタックソーＤＴＳによって除電され且つ静電気的に吸引されることにより前記感光体ＰＲより剥離される。
シートＳを前記感光体ＰＲ表面から剥離させると図３Ｄの状態となる。  
【００５０】
図３Ｄにおいて、転写剥離後の感光体ＰＲ表面電位は、わずかに＋に帯電し且つ画像部であった部分の電位は背景部であった部分の電位よりもわずかに高い値に帯電する。剥離領域Ｑ4においてシートＳは前記デタックソーＤＴＳにより除電されるので、剥離放電による前記感光体ＰＲ表面上の高帯電電位部分は発生するが、ＤＴＳにより高帯電電位部分の電位は低下する。
なお、前記図３Ｃの静電潜像を現像したトナー像が転写されたシートＳの画像は、図３Ｅの印刷例に示すようになる。
【００５１】
図３Ｆにおいて、２枚目画像の形成時の帯電前の感光体ＰＲ表面の帯電電位は、前記図３Ｄの帯電電位が残っている状態である。但し、感光体ＰＲの回転とともに感光体ＰＲ表面のシート前端接触位置が移動するのにともなって、前記図３Ｄの帯電電位のパターンは移動して図３Ｆのようになる。
前記図Ｆの帯電パターン状態において帯電ロールＣＲにより帯電すると、図３Ｇのようになる。
図３において、前記図３Ｇは図３Ｂに対応しており、同様に図３Ｈ〜図３Ｊはそれぞれ前記図３Ｃ〜図３Ｅに対応する。したがって、２枚目以降の印刷時においても、1枚目の印刷時と同様にシートＳ表面の背景部に黒帯は発生しない
【００５２】
（高湿モード時の作用）
図４は、シート導電性判別手段Ｃ１ｃによってシートＳが導電性を有すると判別された場合、すなわち高湿モードにおける、感光体ＰＲ表面上のシート前端接触位置からシート後端接触位置までの領域の帯電電位の状態を説明する図であり、前記図８に対応する図である。
図５は、感光体ＰＲ上の背景部帯電電位Ｖｈと現像ロールに印加する直流現像バイアスＶｄとの電位差と、剥離放電によってシート印刷面に発生する黒帯の濃度Ｐとの関係を示すグラフで、前記図９に対応する図である。
なお、図４、図５の説明において、前記図８、図９の説明内容と重複する記載はその詳細な説明を省略する。
【００５３】
図４Ａにおいて、１枚目画像の形成時の帯電前の感光体ＰＲ表面の帯電電位は、ほぼ０Ｖである。高湿モードの場合、デタックソーＤＴＳの印加電圧はオフに設定されている。また、帯電ロールＣＲの印加電圧は通常値より高く−７４０Ｖに設定されている。
図４Ｂにおいて、帯電後の前記感光体ＰＲ表面の帯電電位は−７４０Ｖである。図４Ｂの状態において、潜像形成装置ＲＯＳが出射するレーザビームＬにより前記感光体ＰＲ表面を露光すると−７４０Ｖの背景部帯電電位の中に−２００Ｖの静電潜像が形成され、図４Ｃの状態となる。
【００５４】
図４Ｃにおいて、露光後の感光体ＰＲ表面の帯電電位は、背景部帯電電位が−７４０Ｖ、画像部帯電電位は−２００Ｖである。この場合、帯電電位−７４０Ｖの背景部と帯電電位−２００Ｖの画像部とを有する静電潜像が形成される。
そして、感光体ＰＲの内面をアース（接地）し且つ−６００Ｖの現像バイアスを現像ロールＲ０に印加する。現像ロールＲ０表面に付着した−（マイナス）帯電のトナーは、−６００Ｖの現像バイアスにより−２００Ｖの画像部に移動して付着するが、−７４０Ｖの背景部には付着しない。すなわち、前記静電潜像の−２００Ｖに帯電した画像部はトナー像に現像される。
現像された前記トナー像は、転写領域Ｑ3に搬送され、シートＳに転写される。
そして、剥離領域Ｑ4において、シートを前記感光体ＰＲ表面から剥離させると図４Ｄの状態となる。
【００５５】
図４Ｄにおいて、転写剥離後の感光体ＰＲ表面電位は、図４Ｄのように、わずかに＋に帯電し且つ画像部であった部分の電位は背景部であった部分の電位よりもわずかに高い値に帯電する。そして、トナー像が転写されたシートＳ後端部が感光体ＰＲ表面から剥離した時の剥離放電により、感光体ＰＲの放電箇所ＥＤ1は大きなプラス電位に帯電される。
なお、前記図４Ｃの静電潜像を現像したトナー像が転写されたシートＳの画像は、例えば図４Ｅの印刷例に示すようになる。
【００５６】
図４Ｆにおいて、２枚目画像の形成時の帯電前の感光体ＰＲ表面の帯電電位は、前記図４Ｄの帯電電位が残っている状態である。但し、感光体ＰＲの回転とともに感光体ＰＲ表面のシート前端接触位置が移動するのにともなって、前記図４Ｄの帯電電位のパターンは移動して図４Ｆのようになる。
前記図４Ｆの帯電パターン状態において帯電バイアス−７４０Ｖが印加された帯電ロールＣＲにより感光体ＰＲ表面を帯電させると、図４Ｇのようになる。
図４Ｇにおいて、前記図４Ｄ、図４Ｆの前記放電箇所ＥＤ1の部分の帯電電位は−６９０Ｖになる。
【００５７】
図４Ｈにおいて、前記図４Ｇの状態の感光体ＰＲ表面を露光すると、露光後の感光体ＰＲ表面の帯電電位は、背景部帯電電位が−７４０Ｖ、画像部帯電電位は−２００Ｖ、前記図４Ｇの放電箇所ＥＤ1帯電電位は−６９０Ｖとなる。この場合、電位−７４０Ｖまたは−６９０Ｖの背景部と帯電電位−２００Ｖの画像部とを有する静電潜像が形成される。前記感光体ＰＲ表面の静電潜像は、−６００Ｖの現像バイアスを印加した現像ロールＲ０によりトナー像が現像される。
このトナー像をシートＳに転写すると、転写後の感光体ＰＲ表面の帯電電位は図４Ｉに示すようになる。
【００５８】
前記図４Ｈにおいて、背景部帯電電位は前記放電箇所ＥＤ1を除いては−７４０Ｖであるが、前記放電箇所ＥＤ1では例えば−６９０Ｖになる。
前記図４Ｈの場合、図５では、放電箇所を除く感光体ＰＲ上の背景部帯電電位Ｖｈ1は−７４０Ｖであり、放電箇所の１周後の感光体ＰＲ上背景部帯電電位Ｖｈ2は−６９０Ｖである（図４参照）。また、現像ロールＲ０に印加する直流現像バイアスは−６００Ｖである。
したがって、感光体ＰＲ上の背景部帯電電位Ｖｈと現像ロールＲ０に印加する直流現像バイアスＶｄとの電圧差（Ｖｈ−Ｖｄ）は、前記放電箇所を除く背景部ではＶｈ1−Ｖｄ＝−１４０Ｖ、前記放電箇所の背景部ではＶｈ−Ｖｄ＝−９０Ｖとなる。
【００５９】
図５において、Ｖｈ1−Ｖｄ＝−１４０Ｖのとき、前記剥離放電により発生する黒帯濃度Ｐ１は約０．７５となり、前記黒帯は殆ど目立たない。一方Ｖｈ2−Ｖｄ＝−９０Ｖのときも、前記黒帯濃度Ｐ２は約０．８となり、黒帯は殆ど目立つことが無い。
したがって、前記図４Ｈの静電潜像を現像したトナー像が転写されたシートＳの画像は、図４Ｊの印刷例のように形成される。
すなわち、本実施例の画像形成装置の高湿モードでは、シートＳが導電性を有する場合においても剥離放電による黒帯を防ぐことができる。
【産業上の利用可能性】
【００６０】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（Ｈ01）シートＳが導電性を有する状態か否かは、湿度により判別する代わりに、湿度および温度により判別することが可能である。また、搬送されるシートＳの表面に間隔を空けて当接させた一対の表面抵抗測定用の導電性ロールまたは前記シートを挟んで配置したシートＳの厚さ方向の抵抗測定用の一対の導電性ロールにより測定したシートＳの表面抵抗または厚さ方向の抵抗によりシートＳの導電性を判別することが可能である。
（Ｈ02）本発明は中間転写ベルトＢを使用した画像形成装置やカラー画像形成装置にも適用することが可能である。
中間転写ベルトＢを使用した画像形成装置では、前記トナー像形成装置（ＰＲ＋ＣＲ＋ＲＯＳ＋Ｅ1＋Ｄ＋ＤＭ2＋Ｍ2）により感光体ＰＲ表面に形成されたトナー像（Ｔｎ）は、感光体ＰＲおよび中間転写ベルトＢにより、シート転写領域に搬送される。その場合、前記感光体ＰＲおよび中間転写ベルトＢにより、シート転写トナー像担持部材（ＰＲ＋Ｂ）が構成される。
（Ｈ03）転写後の感光体表面電位がわずかにプラスになる場合について説明したが、帯電後の表面電位は条件により異なる。本発明は、転写後の感光体表面電位がマイナスになる場合でも適用することが可能である。
（Ｈ04）前期実施例において、絶対湿度に基づいて用紙の導電性を判断したが、これに限定されず、相対湿度等に基づいて用紙の導電性を判断することも可能である。
【図面の簡単な説明】
【００６１】
【図１】図１は本発明の画像形成装置の実施例の制御部分のブロック線図である。
【図２】図２は前記実施例の画像形成装置のシートの導電性に応じた画像形成動作パラメーター設定処理のフローチャートである。
【図３】図３は、シート導電性判別手段Ｃ１ｂによってシート導電性が低いと判別された場合、すなわち通常モードにおける、感光体ＰＲ表面上のシート前端接触位置からシート後端接触位置までの領域の帯電電位の変化を説明する図であり、前記図８に対応する図である。
【図４】図４は、シート導電性判別手段Ｃ１ｂによってシート導電性が高いと判別された場合、すなわち高湿モードにおける、感光体ＰＲ表面上のシート前端接触位置からシート後端接触位置までの領域の帯電電位の変化を説明する図であり、前記図８に対応する図である。
【図５】図５は、感光体ＰＲ上の背景部帯電電位Ｖｈと現像ロールに印加する直流現像バイアスＶｄとの電位差と、剥離放電によってシート印刷面に発生する黒帯の濃度Ｐとの関係を示すグラフで、前記図９に対応する図である。
【図６】図６は従来技術の画像形成装置の正断面図である。
【図７】図７は従来技術の画像形成装置の要部拡大図であり、図７Ａは感光体表面上の帯電電位の変化に関わる構成部材の配置を示した図、図７Ｂはデタックソー（除電部材）ＤＴＳの拡大斜視図である。
【図８】図８は感光体表面上のシート前端接触位置からシート後端接触位置までの領域の帯電電位の変化を説明する図であり、図８Ａは１枚目シート用画像の帯電前の感光体表面電位、図８Ｂは帯電後の感光体表面電位、図８Ｃは露光後の感光体表面電位、図８Ｄは転写剥離後の感光体表面電位、図８Ｅは１枚目シート上の転写画像、図８Ｆは２枚目以降のシート用画像の帯電前の感光体表面電位、図８Ｇは帯電後の感光体表面電位、図８Ｈは露光後の感光体表面電位、図８Ｉは転写剥離後の感光体表面電位、図８Ｊは２枚目以降シート上の転写画像、を示す図である。
【図９】図９は、感光体ＰＲ上の背景部帯電電位Ｖｈと現像ロールに印加する直流現像バイアスＶｄとの電位差と、剥離放電によってシート印刷面に発生する黒帯の濃度Ｐとの関係を示すグラフである。
【符号の説明】
【００６２】
Ｃ…帯電部材、Ｃ1c…シート導電性判別手段、Ｃ4…帯電電位制御手段、Ｃ5…転写制御手段、Ｃ6…除電制御手段、ＤＴＳ…除電部材、Ｅ2…帯電用電源回路、Ｅ3…転写用電源回路、Ｅ4…除電用電源回路、Ｆ…定着装置、ＰＲ…感光体、Ｑ０…帯電領域、Ｑ1…潜像形成位置、Ｑ2…現像領域、Ｑ3…転写領域、Ｑ5…定着領域、ＲＯＳ…潜像形成装置、Ｓ…シート、ＳＨ…シート搬送装置、ＳN…シート導電性検出器、Ｔｎ…トナー像、ＴＲ…シート転写部材、
ＣＲ＋Ｅ2＋Ｃ4…帯電制御装置、
ＤＴＳ＋Ｅ4＋Ｃ6…除電制御装置、
Ｅ1＋Ｄ＋ＤＭ2＋Ｍ2…現像装置、
ＰＲ＋ＣＲ＋ＲＯＳ＋Ｅ1＋Ｄ＋ＤＭ2＋Ｍ2…トナー像形成装置、
ＳN＋Ｃ1…シート導電性検出装置、
ＴＲ＋Ｅ3＋Ｃ5…シート転写制御装置。
【図１】
2005266612.tif 000003
【図２】
2005266612.tif 000004
【図３】
2005266612.tif 000005
【図４】
2005266612.tif 000006
【図５】
2005266612.tif 000007
【図６】
2005266612.tif 000008
【図７】
2005266612.tif 000009
【図８】
2005266612.tif 000010
【図９】
2005266612.tif 000011